(57)【要約】【課題】髪処理のバリエーションを減らすことなくアタッチメントの総数を減少でき、したがって、ヘアーセッターのコストを削減し、あるいは無駄を省いてエコロジーや省エネルギーにも寄与できるヘアーセッターを提供する。【解決手段】メインユニットＭと、メインユニットＭに着脱自在に装着されるアタッチメントＡ１・Ａ２とを備える。メインユニットＭは、セッター本体１と、筒基体３を含む吹出ユニット２とで構成される。筒基体３は、筒壁に一群の吹出口３０が開口されて、セッター本体１の送給口８から送給される乾燥風を筒壁の外へ吹き出し供給しながら、髪処理を行なうことができる。以て、アタッチメントＡ１・Ａ２を、筒基体３の外面を覆う状態で装着できるようにする。【選択図】図１
2010263994.tif 000002
【特許請求の範囲】
【請求項１】
メインユニット（Ｍ）と、メインユニット（Ｍ）に着脱自在に装着されるアタッチメント（Ａ１・Ａ２）とを備えており、
メインユニット（Ｍ）は、セッター本体（１）と、筒基体（３）を含む吹出ユニット（２）とで構成されており、
筒基体（３）は、筒壁に一群の吹出口（３０）が開口されて、セッター本体（１）の送給口（８）から送給される乾燥風を筒壁の外へ吹き出し供給しながら、髪処理を行なうことができ、
アタッチメント（Ａ１・Ａ２）を、筒基体（３）の外面を覆う状態で装着できることを特徴とするヘアーセッター。
【請求項２】
第１アタッチメント（Ａ１）が、筒基体（３）に外嵌装着されるロール筒（４９）を含んで構成してある請求項１に記載のヘアーセッター。
【請求項３】
筒基体（３）の基端部に、送給口（８）から送給される乾燥風の一部の進入を許す進入口（２５ａ）が開口されており、
筒基体（３）の基端部外側に、送給口（８）に連通する外吹出口（３３）が形成されており、
筒基体（３）が、主として進入口（２５ａ）から筒基体（３）の内部へ入り込む乾燥風で加熱され、
筒基体（３）に装着された第１アタッチメント（Ａ１）が、筒基体（３）の吹出口（３０）から吹き出される乾燥風と、外吹出口（３３）からロール筒（４９）の壁面に沿って吹き出される乾燥風とで加熱される請求項２に記載のヘアーセッター。
【請求項４】
メインユニット（Ｍ）が、筒基体（３）と協同して髪を挟み保持する押えアーム（２４）を備える請求項１から３のいずれかに記載のヘアーセッター。
【請求項５】
押えアーム（２４）が、筒基体（３）の外周面に接離するアーム本体（３４）を含んで構成されており、
アーム本体（３４）が外接する状態の筒基体（３）に対して第１アタッチメント（Ａ１）を装着できる請求項４に記載のヘアーセッター。
【請求項６】
アーム本体（３４）に、筒基体（３）の吹出口（３０）に対応する一群のアーム通口（４０）が開口されており、
筒基体（３）の内部に送給された乾燥風の一部が、吹出口（３０）とアーム通口（４０）を介して第１アタッチメント（Ａ１）の内面に吹き出し供給される請求項５に記載のヘアーセッター。
【請求項７】
第２アタッチメント（Ａ２）が、前面にノズル開口（６６）を有するノズル体（６５）を含んで構成されており、
ノズル体（６５）は、筒基体（３）の吹出口（３０）から吹き出し供給された乾燥風の大半を、ノズル開口（６６）へ向かって変向案内できる請求項２から６のいずれかに記載のヘアーセッター。
【請求項８】
筒基体（３）に、第１・第２の両アタッチメント（Ａ１・Ａ２）に対応する連結構造が個別に設けられており、
第１アタッチメント（Ａ１）の装着状態とは無関係に、第２アタッチメント（Ａ２）を着脱できる請求項７に記載のヘアーセッター。
【請求項９】
ロール筒（４９）の周面の少なくとも前面側に、一群のブリッスル（５０）が突設されており、
第１・第２の両アタッチメント（Ａ１・Ａ２）を同時に装着したとき、少なくとも一部のブリッスル（５０）がノズル開口（６６）の前方へ突出する請求項７または８に記載のヘアーセッター。
【請求項１０】
筒基体（３）の先端部に、第１・第２の両アタッチメント（Ａ１・Ａ２）に対応する連結構造が設けられており、
第１アタッチメント（Ａ１）の連結構造が、ロール筒（４９）と係合して同筒（４９）の周方向の回転を規制する回転規制体（５６）と、ロール筒（４９）と係合して同筒（４９）の抜け外れを規制する第１ロック体（５８）とで構成してある請求項７から９のいずれかに記載のヘアーセッター。
【請求項１１】
ロール筒（４９）の先端部内面に、第１ロック体（５８）で抜け止めされるフランジ壁（５２）が張り出し形成されており、
筒基体（３）の先端部に、第１ロック体（５８）を有する突端軸部（５７）が設けられており、
第１ロック体（５８）は、突端軸部（５７）の径方向内側へ向かって弾性変形できる弾性アーム（５８ａ）と、フランジ壁（５２）を受け止めるロック爪（５８ｂ）とを備えており、
突端軸部（５７）の基端側に回転規制体（５６）が配設されて、フランジ壁（５２）の内周面と回転規制体（５６）との間に、互いに凹凸係合する回転規制構造が設けられており、
第１アタッチメント（Ａ１）を筒基体（３）に装着する過程で、フランジ壁（５２）が弾性アーム（５８ａ）を径方向内側へ弾性変形させながらロック爪（５８ｂ）を乗り越えて、回転規制体（５６）と凹凸係合するとともに、ロック爪（５８ｂ）で抜け止め保持される請求項１０に記載のヘアーセッター。
【請求項１２】
第１ロック体（５８）よりも突端軸部（５７）の突端寄りに、第２アタッチメント（Ａ２）の連結構造を構成する第２ロック体（５９）が設けられており、
第２ロック体（５９）は、突端軸部（５７）の径方向内側へ向かって弾性変形できる弾性アーム（５９ａ）と、ロック爪（５９ｂ）とを備えており、
第２アタッチメント（Ａ２）に、突端軸部（５７）に外嵌する外嵌筒（６７）が設けられており、
外嵌筒（６７）を突端軸部（５７）に外嵌して、ロック爪（５９ｂ）を外嵌筒（６７）に設けた係合凹部（６８）に係合させて、第２アタッチメント（Ａ２）を筒基体（３）に装着できる請求項１１に記載のヘアーセッター。
【請求項１３】
吹出ユニット（２）がセッター本体（１）に対して着脱自在に装着してある請求項１から１２のいずれかに記載のヘアーセッター。
【発明の詳細な説明】
【技術分野】
【０００１】
本発明は、髪の乾燥やカール処理などに使用できるヘアーセッターに関する。
【背景技術】
【０００２】
この種のヘアーセッターは、例えば本出願人の出願に係る特許文献１に公知である。そこでは、温風を生成するセッター本体と、セッター本体に対して交換装着されるロールブラシ、ブローブラシ、およびノズルなどのアタッチメントでヘアーセッターを構成している。セッター本体の一側には、一群の温風の吹出口が開口された支柱筒が設けてあり、この支柱筒に外嵌する状態で、先のアタッチメントを交換装着できる。支柱筒の内部にはイオン発生用の放電ユニットが配置してある。使用時には、セッター本体から送給される温風と、支柱筒内の放電ユニットで生成したイオンとを送給して、髪処理を行なえる。
【０００３】
同様のヘアーセッターは特許文献２にも見ることができる。そこでは、セッター本体の一側にスチームを発生できるアタッチメント基台を設け、アタッチメント基台に対してロールブラシと、ブローブラシと、押えアームを備えたロールアイロンとを着脱できるようにしている。使用時には、セッター本体から送給される温風と、アタッチメント基台から送給されるスチームとによって、髪処理を行なえる。
【先行技術文献】
【特許文献】
【０００４】
【特許文献１】特開２００７−１０５１４４号公報（段落番号００５０、図２）
【特許文献２】特開平０２−３０９９０４号公報（第２頁左下欄６〜１７行、第１図）
【発明の概要】
【発明が解決しようとする課題】
【０００５】
特許文献１および２のように、複数種のアタッチメントを交換装着できるヘアーセッターによれば、ユーザーは、所望する髪処理内容に応じて適当なアタッチメントを選択して、髪処理を行なうことができる。しかし、いずれのヘアーセッターにおいても、アタッチメントを支柱筒あるいはアタッチメント基台に対して着脱する形態を採るので、髪梳き用、乾燥用、ロール用、カール用など、ヘアーセッターを多機能化するには、多種類のアタッチメントを用意しなければならない。多種類のアタッチメントを用意することに技術的な困難はないが、ヘアーセッターの全体コストが高くなるうえ、全てのユーザーが全てのアタッチメントを等しく使用するわけでもないので、無駄になりやすい。エコロジーや省エネルギーの精神に反することにもなる。保管時の管理がずさんであると、使用頻度が低いアタッチメントを紛失することもありうる。
【０００６】
また、髪の処理形態が異なるごとに、アタッチメントを付け換える必要があるので、使用するアタッチメントによっては、使用可能な温度に加熱されるまで待つ必要がある。具体的には、洗髪後の髪をある程度乾かしたのちカール処理を行なう場合は、まず、温風を一方向に集約できるノズルを支柱筒の外側に装着して髪を乾燥する。次に、ロールブラシを換装し、ブラシ全体が温風で温められるまで待ってから、カール処理を行なう必要があり、カール処理を迅速に開始することができない。
【０００７】
本発明の目的は、髪処理のバリエーションを減らすことなくアタッチメントの総数を減少でき、したがって、ヘアーセッターのコストを削減し、あるいは無駄を省いてエコロジーや省エネルギーにも寄与できるヘアーセッターを提供することにある。本発明の目的は、髪処理部が温められるまでの待ち時間を省略して、髪処理に要する全体時間を短縮できるヘアーセッターを提供することにある。
【課題を解決するための手段】
【０００８】
本発明に係るヘアーセッターは、図２および図３に示すように、メインユニットＭと、メインユニットＭに着脱自在に装着されるアタッチメントＡ１・Ａ２とを備える。メインユニットＭは、セッター本体１と、筒基体３を含む吹出ユニット２とで構成される。筒基体３は、筒壁に一群の吹出口３０が開口されて、セッター本体１の送給口８から送給される乾燥風を筒壁の外へ吹き出し供給しながら、髪処理を行なうことができる。以て、図１に示すように、アタッチメントＡ１・Ａ２を、筒基体３の外面を覆う状態で装着できることを特徴とする。
【０００９】
図４に示すように第１アタッチメントＡ１を、筒基体３に外嵌装着されるロール筒４９を含んで構成する。
【００１０】
図９に示すように、筒基体３の基端部に、送給口８から送給される乾燥風の一部の進入を許す進入口２５ａを開口する。筒基体３の基端部外側に、送給口８に連通する外吹出口３３を形成する。筒基体３を、主として進入口２５ａから筒基体３の内部へ入り込む乾燥風で加熱する。筒基体３に装着された第１アタッチメントＡ１を、筒基体３の吹出口３０から吹き出される乾燥風と、外吹出口３３からロール筒４９の壁面に沿って吹き出される乾燥風とで加熱する。
【００１１】
図７に示すようにメインユニットＭは、筒基体３と協同して髪を挟み保持する押えアーム２４を備える。
【００１２】
図４に示すように押えアーム２４を、筒基体３の外周面に接離するアーム本体３４を含んで構成する。アーム本体３４が外接する状態の筒基体３に対して第１アタッチメントＡ１を装着できるようにする。
【００１３】
図７に示すようにアーム本体３４に、筒基体３の吹出口３０に対応する一群のアーム通口４０を開口する。筒基体３の内部に送給された乾燥風の一部を、吹出口３０とアーム通口４０を介して第１アタッチメントＡ１の内面に吹き出し供給する。
【００１４】
図６に示すように第２アタッチメントＡ２を、前面にノズル開口６６を有するノズル体６５を含んで構成する。ノズル体６５は、筒基体３の吹出口３０から吹き出し供給された乾燥風の大半を、ノズル開口６６へ向かって変向案内できる。
【００１５】
図１に示すように筒基体３に、第１・第２の両アタッチメントＡ１・Ａ２に対応する連結構造を個別に設ける。第１アタッチメントＡ１の装着状態とは無関係に、第２アタッチメントＡ２を着脱できるようにする。
【００１６】
図１および図８に示すように、ロール筒４９の周面の少なくとも前面側に、一群のブリッスル５０を突設する。第１・第２の両アタッチメントＡ１・Ａ２を同時に装着したとき、少なくとも一部のブリッスル５０がノズル開口６６の前方へ突出する。
【００１７】
図１０および図１１に示すように、筒基体３の先端部に、第１・第２の両アタッチメントＡ１・Ａ２に対応する連結構造を設ける。第１アタッチメントＡ１の連結構造を、ロール筒４９と係合して同筒４９の周方向の回転を規制する回転規制体５６と、ロール筒４９と係合して同筒４９の抜け外れを規制する第１ロック体５８とで構成する。
【００１８】
図１０および図１１に示すように、ロール筒４９の先端部内面に、第１ロック体５８で抜け止めされるフランジ壁５２を張り出し形成する。筒基体３の先端部に、第１ロック体５８を有する突端軸部５７を設ける。第１ロック体５８は、突端軸部５７の径方向内側へ向かって弾性変形できる弾性アーム５８ａと、フランジ壁５２を受け止めるロック爪５８ｂとを備える。突端軸部５７の基端側に回転規制体５６を配設し、フランジ壁５２の内周面と回転規制体５６との間に、互いに凹凸係合する回転規制構造を設ける。第１アタッチメントＡ１を筒基体３に装着する過程で、フランジ壁５２が弾性アーム５８ａを径方向内側へ弾性変形させながらロック爪５８ｂを乗り越えて、回転規制体５６と凹凸係合するとともに、ロック爪５８ｂで抜け止め保持される。
【００１９】
図１０および図１１に示すように、第１ロック体５８よりも突端軸部５７の突端寄りに、第２アタッチメントＡ２の連結構造を構成する第２ロック体５９を設ける。第２ロック体５９は、突端軸部５７の径方向内側へ向かって弾性変形できる弾性アーム５９ａと、ロック爪５９ｂとを備える。第２アタッチメントＡ２に、突端軸部５７に外嵌する外嵌筒６７を設ける。外嵌筒６７を突端軸部５７に外嵌して、ロック爪５９ｂを外嵌筒６７に設けた係合凹部６８に係合させて、第２アタッチメントＡ２を筒基体３に装着できる。
【００２０】
図３に示すように、吹出ユニット２をセッター本体１に対して着脱自在に装着する。
【発明の効果】
【００２１】
本発明では、一群の吹出口３０を有して髪処理に使用できる筒基体３の外面を覆う状態で、アタッチメントＡ１・Ａ２を着脱自在に装着できるようにした。つまり、本発明における筒基体３は、従来のヘアーセッターにおける支柱筒に加えて、髪処理部としての機能を有するので、当該髪処理を行なうためのアタッチメントを省略することができる。このように、本発明によれば、従来のヘアーセッターに比べて髪処理のバリエーションを減らすことなく、アタッチメントの総数を減少することができるので、ヘアーセッターの全体コストを削減し、あるいは無駄を省いてエコロジーや省エネルギーに寄与することができる。また、アタッチメントが少なくなった分だけ、アタッチメントを紛失するおそれを小さくすることができる。
【００２２】
さらに本発明によれば、筒基体３の外側にアタッチメントＡ１・Ａ２を装着して髪処理を行なっている間に、筒基体３は充分に加熱されるので、筒基体３を用いた髪処理を、アタッチメントＡ１・Ａ２を取り外してすぐに開始することができる。したがって、本発明によれば、筒基体３で行なう髪処理のために別途アタッチメントを用意する従来形態では不可避であった、当該アタッチメントを装着してから温められるまでの待ち時間を省略することが可能であり、髪処理に要する全体時間を短縮できる点で優れている。
【００２３】
第１アタッチメントＡ１を、筒基体３に外嵌装着されるロール筒４９を含んで構成すると、ユーザーは、筒基体３を用いた第１の髪処理と、ロール筒４９を用いた第２の髪処理とを行なうことができる。すなわち、従来においては、筒基体３で行なう第１の髪処理のために別途アタッチメントを用意していたので、第１および第２の髪処理を行なうのに２つのアタッチメントが必要であったが、本発明によれば、第１の髪処理を行なうための筒基体３がメインユニットＭの一部として構成してあるので、アタッチメントは１つのみで足り、したがって、髪処理のバリエーションを減らすことなくアタッチメントの総数を減少して、ヘアーセッターの全体コストを低減できる。
【００２４】
筒基体３の基端部外側に外吹出口３３を形成して、筒基体３に装着された第１アタッチメントＡ１を、筒基体３の吹出口３０から吹き出される乾燥風と、外吹出口３３からロール筒４９の壁面に沿って吹き出される乾燥風とで加熱すると、第１アタッチメントＡ１を短時間で加熱して、第１アタッチメントＡ１を用いた髪処理を迅速に開始することができる。また、第１アタッチメントＡ１の表面温度を充分に上昇させて、髪処理に要する時間を短縮できる。
【００２５】
メインユニットＭに、筒基体３と協同して髪を挟み保持する押えアーム２４を設けると、筒基体３と押えアーム２４とで髪を確りと保持して、カール処理やロール処理等のくせ付け作業を容易かつ確実に行なうことができる。
【００２６】
筒基体３に外接するアーム本体３４を外側から覆うように第１アタッチメントＡ１を装着できるようにすると、第１アタッチメントＡ１を装着する際にアーム本体３４を筒基体３から分離する手間を解消して、第１アタッチメントＡ１を簡単に装着できる。また、アーム本体３４の熱容量の分だけ筒基体３が冷めにくくなり、筒基体３を用いた髪処理に要する時間を短縮できる。
【００２７】
アーム本体３４に、筒基体３の吹出口３０に対応する一群のアーム通口４０を開口していると、アーム本体３４が筒基体３に外接したときに、一部の吹出口３０が塞がれるのを防止でき、したがって、筒基体３の外側に装着された第１アタッチメントＡ１を万遍なく温めることができる。
【００２８】
第２アタッチメントＡ２を、一面にノズル開口６６を有するノズル体６５を含んで構成すると、第２アタッチメントＡ２を筒基体３に装着した状態において、各吹出口３０から放射状に吹き出される乾燥風を一方向に集約して、髪に対して一挙に大量の乾燥風を送給でき、洗髪後の髪を短時間で乾燥できる。また、髪の乾燥中に筒基体３は充分に温められるため、第２アタッチメントＡ２を取り外してすぐに、筒基体３を用いた髪処理を開始することができる。
【００２９】
筒基体３に、第１・第２の両アタッチメントＡ１・Ａ２に対応する連結構造を個別に設け、第１アタッチメントＡ１の装着状態とは無関係に、第２アタッチメントＡ２を着脱できるようにすると、髪を乾燥したい場合はいつでもすぐに第２アタッチメントＡ２を装着して、乾燥処理を開始することができる。また、両アタッチメントＡ１・Ａ２を同時に装着して髪の乾燥処理を行なうことにより、乾燥中に第１アタッチメントＡ１を温めることができるので、第２アタッチメントＡ２を取り外してすぐに、第１アタッチメントＡ１を用いた髪処理を開始することができる。さらに、両アタッチメントＡ１・Ａ２を同時に装着できると、両アタッチメントＡ１・Ａ２を装着したまま場所を取らずにヘアーセッターを収納できる。
【００３０】
第１アタッチメントＡ１のロール筒４９の少なくとも前面側に一群のブリッスル５０を突設すると、ロール筒４９に巻き付けた髪をブリッスル５０で確りと捕捉して、容易かつ確実にカール処理を行なうことができる。つまり、第１アタッチメントＡ１のみを装着すると、ロールブラシとして使用することができる。また、第１・第２の両アタッチメントＡ１・Ａ２を同時に装着したとき、少なくとも一部のブリッスル５０がノズル開口６６の前方へ突出するようにしていると、突出するブリッスル５０で髪を捕捉して、そこにノズル開口６６からの乾燥風を送給することにより、髪の乾燥やくせ付けを行なうことができる。つまり、ブローブラシとして使用することができる。そして上述したように、第２アタッチメントＡ２のみを装着すると、乾燥風を一方向に集約して、髪の乾燥を好適に行なうことができる。以上のように、本発明によれば、２つのアタッチメントＡ１・Ａ２を備えるだけで、ロールブラシ、ブローブラシ、およびノズルの３種類の使用形態を採ることができる。アタッチメントとしてのロールブラシ、ブローブラシ、およびノズルを個別に備えていた従来のヘアーセッターに比べて、アタッチメントの総数をさらに減少して、ヘアーセッターの全体コストを低減できる。
【００３１】
第１アタッチメントＡ１の連結構造を、ロール筒４９の回転を規制する回転規制体５６を含んで構成すると、メインユニットＭに対して第１アタッチメントＡ１が回動するのを規制できるので、第１アタッチメントＡ１に対する髪の巻き込みを安定して行なうことができ、したがって、カール処理やロール処理などの髪処理を安定した状態で行なうことができる。
【００３２】
ロール筒４９の先端部内面に、第１ロック体５８で抜け止めされるフランジ壁５２を張り出し形成し、フランジ壁５２の内周面と回転規制体５６との間に、互いに凹凸係合する回転規制構造を設けると、第１ロック体５８に対する係合部と、回転規制体５６に対する係合部とを、フランジ壁５２で兼ねることができる。したがって、回転規制体５６および第１ロック体５８に対する係合部を別々に設ける場合に比べて構造を簡素化して、ヘアーセッターの製造コストを低減できる。また、フランジ壁５２をロール筒４９の内面に配置すると、第１アタッチメントＡ１の連結構造に髪が引っ掛かるのを防止できる。
【００３３】
突端軸部５７に第１ロック体５８とともに第２ロック体５９を設けると、両ロック体５８・５９を別々に設ける場合に比べて、アタッチメントＡ１・Ａ２の連結構造を簡素化して、ヘアーセッターの製造コストを低減できる。第２ロック体５９を第１ロック体５８よりも突端寄りに配置するので、第１アタッチメントＡ１が先に装着されていても、第２アタッチメントＡ２を着脱することができる。
【００３４】
吹出ユニット２をセッター本体１に対して着脱自在に装着すると、吹出ユニット２をセッター本体１から分離したうえで、筒基体３の清掃を容易に行なうことができる。
【図面の簡単な説明】
【００３５】
【図１】第１アタッチメントおよび第２アタッチメントを装着したヘアーセッターの一部縦断正面図である。
【図２】メインユニットの側面図である。
【図３】ヘアーセッターの分解正面図である。
【図４】第１アタッチメントを装着したヘアーセッターの一部縦断正面図である。
【図５】第１アタッチメントを装着したヘアーセッターの別の使用例を示す一部縦断正面図である。
【図６】第２アタッチメントを装着したヘアーセッターの一部縦断正面図である。
【図７】押えアームを開いた状態の吹出ユニットの正面図である。
【図８】図１のＡ−Ａ線断面図である。
【図９】押えアームの要部の構造を示す縦断正面図である。
【図１０】第１アタッチメントおよび第２アタッチメントの連結構造を示す縦断正面図である。
【図１１】図１０のＢ−Ｂ線断面図である。
【発明を実施するための形態】
【００３６】
（実施形態）  図１ないし図１１は本発明に係るヘアーセッターの実施形態を示す。図２および図３においてヘアーセッターは、上下に長いメインユニットＭと、メインユニットＭに着脱自在に装着される第１・第２のアタッチメントＡ１・Ａ２とを備える。第１アタッチメントＡ１は、ゆるめのカールを付けるのに用いる太巻ロール体であり、第２アタッチメントＡ２は、風を一方向へ集約して送風するための風変向体である。なお、以下の説明においては、各図に示す交差矢印および方向を示す文字表示に従って、前後、左右、および上下を特定する。
【００３７】
メインユニットＭは、温風あるいは冷風を生成するセッター本体１と、セッター本体１の風の出口側に着脱自在に装着される吹出ユニット２とで構成される。吹出ユニット２は、両アタッチメントＡ１・Ａ２を装着するための筒基体３を備えており、アタッチメントＡ１・Ａ２は、いずれか一方あるいは両方を筒基体３に装着して使用することができる。第１アタッチメントＡ１のみを装着した状態、第２アタッチメントＡ２のみを装着した状態、両アタッチメントＡ１・Ａ２を装着した状態を、それぞれ図４（図５）、図６、図１に示す。
【００３８】
図２に示すようにセッター本体１は、筒状の本体ケース５の内部に送風ファン６やヒーター７などを配置し、風の送給口８の側にイオン発生用の放電ユニットを備えた放電体９を配置して構成してある。グリップを兼ねる本体ケース５の上部側面には、送風ファン６のモーター１０やヒーター７への通電状態を切り換えるスイッチノブ１２と、送給口８の周囲の装着部１３に装着した吹出ユニット２を取り外すためのロック解除用のボタン１４とが設けてある。スイッチノブ１２は、オフ位置と、冷風位置と、低温風位置と、高温風位置との４位置にスライド切り換えできる。符号１５は外気の吸込口である。
【００３９】
図３に示すように放電体９は、丸筒状の中空体で形成してあり、その周囲壁に円形の４個のイオン送出口１８と、長穴状の一群の通気口１９とがそれぞれ開口してある。放電体９の下端部の径寸法は、送給口８のそれよりも小さく設定してある。送給口８から吹き出された風の一部は、放電体９の内部に入り込み、通気口１９を介して周囲に吹き出され、同時にイオン送出口１８からマイナスイオンが放出される。また、送給口８から吹き出された風の一部は、放電体９の外面に沿って流動する。各イオン送出口１８に臨む放電体９の内部には、放電電極２０と対向電極２１とからなる放電ユニットが配置してある（図８参照）。放電ユニットに高電圧のパルス電流を供給するイオン発生ユニットは、本体ケース５の内部に収容してある。
【００４０】
図３および図７に示すように吹出ユニット２は、本体ケース５の装着部１３に装着されてセッター本体１と一体化されており、装着部１３に外嵌する連結筒２３と、その上側に設けられる筒基体３と、筒基体３と協同して髪を挟み保持する押えアーム２４とを備える。筒基体３は、その大半を占める中空円筒状のロール体２５と、ロール体２５の上側に設けられるアタッチメントＡ１・Ａ２の連結部２６とで構成される。ロール体２５は、その外周面に髪を巻き付けて、カール処理等のくせ付けに使用することができる。
【００４１】
装着部１３の外周面には、先のロック解除用のボタン１４で操作されるロック爪２７ａが設けてあり、これに対応して、連結筒２３の内周面の２個所には、ロック爪２７ａと係合可能な係合凹部２７ｂが形成してある。筒基体３の突端寄りの内面には、放電体９の突端に設けた突起２８ａと係合するボス２８ｂが形成してある（図１０参照）。ロール体２５の周囲壁には、放電体９のイオン送出口１８と通気口１９に対応して、イオン開口２９と吹出口３０が形成してある。連結筒２３の上部には、本体ケース５の送給口８に連通する送給口３１が形成してある。連結筒２３とロール体２５は、周縁に沿って分散配置された４つの連結リブ３２により連結してある。
【００４２】
図３および図９に示すように、ロール体２５の下端部には、送給口８に臨む進入口２５ａが開口してある。また、ロール体２５の外面下縁と、連結筒２３の内面上縁との間には、送給口８に連通する外吹出口３３が形成してある。つまり、送給口８から送給される乾燥風は、一部が進入口２５ａからロール体２５の内部へ入り込み、残りが外吹出口３３からロール体２５の外面側へ吹き出される。ロール体２５は、主として進入口２５ａからロール体２５の内部へ入り込む乾燥風で加熱される。
【００４３】
図７に示すように押えアーム２４は、上下に長いステンレス板材製のプレス成形品からなるアーム本体３４と、アーム本体３４を支持するハンドル３５と、ハンドル３５を付勢する圧縮コイル形のばね３６などで構成してある。ハンドル３５は、連結筒２３に固定される一対の揺動ピン３７でシーソー揺動可能に軸支され、アーム本体３４がロール体２５に外接する向きにばね３６で付勢されている。ハンドル３５の下端にはレバー３８が一体に設けてあり、このレバー３８をばね３６に抗して押し込むことにより、アーム本体３４を開き操作できる。アーム本体３４の断面は、ロール体２５の周面に沿う部分円弧状に形成してある。アーム本体３４の壁面には、仮想線で示す閉じ位置において各イオン開口２９と吹出口３０に正対する位置に、イオン窓３９とアーム通口４０がそれぞれ開口してある。これにより、アーム本体３４がロール体２５に外接したときに、イオン開口２９および吹出口３０がアーム本体３４で塞がれるのを避けている。
【００４４】
図９に示すように、アーム本体３４とハンドル３５は、連結腕４３を介して連結してある。連結腕４３は、ハンドル３５の上部に設けたピン４４で上下揺動可能に軸支されており、下方へ折曲された前端部がアーム本体３４の外面下部に連結してある。ピン４４には、連結腕４３を上方へ揺動付勢する捻りコイル形のばね４５が巻装してある。但し、ばね４５の付勢力は、アーム本体３４がロール体２５に外接する向きにハンドル３５を付勢するばね３６のそれに比べて、充分に小さく設定してある。ハンドル３５の上端には、連結腕４３の上方への揺動限界を規定する規制壁４６が設けてある。
【００４５】
図３に示すように第１アタッチメントＡ１は、上下面が開口する中空円筒状のロール筒４９の周囲壁に、ブリッスル５０の列と通気口５１の列を交互に形成して構成してある。ロール筒４９の内周面の上端寄りには、筒基体３の連結部２６と係合するフランジ壁５２が張り出し形成してある。フランジ壁５２の内周面には、周方向に沿ってギヤ歯状の凹凸５２ａが交互に形成してある（図１１参照）。ロール筒４９の下縁４箇所には、連結リブ３２に係合するスリット５３・５４が形成してある。但し、後側のスリット５４は、連結腕４３の進入を許すために、他の３つのスリット５３に比べて上下に長く形成してある。
【００４６】
ロール体２５が、主として進入口２５ａからロール体２５の内部へ入り込む乾燥風で加熱されるのに対し、第１アタッチメントＡ１は、ロール体２５の内部へ入り込んでイオン開口２９および吹出口３０から吹き出される乾燥風と、外吹出口３３からロール筒４９の壁面に沿って吹き出される乾燥風とで加熱される。ロール体２５は、進入口２５ａから入り込む乾燥風だけで迅速かつ充分に加熱することができるが、ロール体２５よりも表面積の大きいロール筒４９は、イオン開口２９および吹出口３０から吹き出される乾燥風だけでは加熱に時間が掛かり、また温度が充分に上昇しない。そこで本実施形態では、ロール体２５の外側に外吹出口３３を設けて、そこから吹き出される乾燥風を補助の加熱源として、ロール筒４９の内部に取り込めるようにした。これにより、ロール筒４９の温度を迅速に、かつ、ロール体２５と同程度まで、上昇させることができる。
【００４７】
図９に示すように、外吹出口３３の外径寸法は、ロール筒４９の内径寸法より大きく設定してある。そのため、第１アタッチメントＡ１より大径のアタッチメントを用意し、該アタッチメントを装着した場合は、外吹出口３３からの乾燥風が内部により多く取り込まれる。つまり、第１アタッチメントＡ１よりも大径で、より表面積の大きいアタッチメントは、より多くの乾燥風を取り込むことにより、ロール体２５と同程度の温度まで上昇する。
【００４８】
図１０に示すように筒基体３の連結部２６は、ロール体２５の上面に配置された円板状のギヤ体（回転規制体）５６と、ギヤ体５６の上側に設けられた中空円筒状の突端軸部５７と、突端軸部５７に一体に設けられた前後一対のロック体５８・５９とで構成される。前側の第１ロック体５８は、後側の第２ロック体５９よりも下側に形成してある。ギヤ体５６と第１ロック体５８が、第１アタッチメントＡ１を筒基体３に連結するのに用いられ、第２ロック体５９が、第２アタッチメントＡ２を筒基体３に連結するのに用いられる。ギヤ体５６はロール体２５と一体に形成してあり、突端軸部５７はギヤ体５６およびロール体２５に対して回動不能に取り付けてある。ギヤ体５６の外周面には、フランジ壁５２の凹凸５２ａと係合可能な凹凸５６ａが形成してある（図１１参照）。
【００４９】
各ロック体５８・５９は、突端軸部５７と一体に形成されて片持ち支持される弾性アーム５８ａ・５９ａと、弾性アーム５８ａ・５９ａの下端に突設されるロック爪５８ｂ・５９ｂとを備える。また、第１ロック体５８に限っては、アーム中途部からロック爪５８ｂの突端へ向かって傾斜するガイド斜面５８ｃを備えている。第１ロック体５８は、ロック爪５８ｂがギヤ体５６の径方向外側へ突出するロック位置と、ロック爪５８ｂがギヤ体５６の径方向内側に退くロック解除位置とに弾性変形でき、弾性アーム５８ａの弾性でロック位置を位置保持できる。第２ロック体５９は、ロック爪５９ｂが突端軸部５７の周面から突出するロック位置と、ロック爪５９ｂが突端軸部５７の周面内に退くロック解除位置とに弾性変形でき、弾性アーム５９ａの弾性でロック位置を位置保持できる。
【００５０】
図３および図４に示すように第１アタッチメントＡ１は、筒基体３の上側から下方へ差し込むようにして外嵌装着される。この際、ロール筒４９の各スリット５３・５４と、吹出ユニット２の連結リブ３２および連結腕４３とにより、第１アタッチメントＡ１の吹出ユニット２に対する周方向位置を合わせる。外側から目視可能なスリット５３・５４などで周方向位置を合わせておくと、外側から見えないフランジ壁５２とギヤ体５６を容易に凹凸係合できる。
【００５１】
第１アタッチメントＡ１を筒基体３に装着する過程で、フランジ壁５２は、弾性アーム５８ａを径方向内側へ弾性変形させながらロック爪５８ｂを乗り越えて、ギヤ体５６に外嵌し、ロール体２５の先端面に接触する。フランジ壁５２の下面をロール体２５の上面で受け止めることにより、第１アタッチメントＡ１の差し込み限界が規定されている。図４に示す装着状態における第１アタッチメントＡ１は、フランジ壁５２とギヤ体５６の凹凸係合により、筒基体３に対する軸まわりの回転が規制されている。ロール筒４９のスリット５３・５４と、連結リブ３２および連結腕４３とは、互いに係合することにより、第１アタッチメントＡ１の回転を補助的に規制する。また、フランジ壁５２がロール体２５に接触した後、第１ロック体５８が自己の弾性によりロック位置に復帰して、フランジ壁５２の内周縁上端に引っ掛かることにより、第１アタッチメントＡ１の抜け外れが規制されている。
【００５２】
図４に示す第１アタッチメントＡ１の装着形態では、押えアーム２４のアーム本体３４がロール体２５に外接して、第１アタッチメントＡ１に外側から覆われている。これを第１アタッチメントＡ１の第１の装着形態と呼ぶ。上述のようにアーム本体３４は、イオン開口２９に正対するイオン窓３９と、吹出口３０に正対するアーム通口４０とを有しているので、アーム本体３４がロール体２５に外接していても、第１アタッチメントＡ１の各通気口５１からは充分な量の風が吹き出される。第１アタッチメントＡ１の各通気口５１は、イオン開口２９および吹出口３０のいずれかの径方向外側に位置している（図８参照）。
【００５３】
図５は第１アタッチメントＡ１の第２の装着形態を示しており、ここではアーム本体３４が第１アタッチメントＡ１の外側に位置し、ロール筒４９と協同して髪を挟み保持できるようになっている。この第２の装着形態とするには、アーム本体３４を仮想線で示すように開き操作した状態で、第１アタッチメントＡ１を筒基体３に差し込んで装着すればよい。この形態でもアーム本体３４をロール筒４９の表面に密着させるため、先述したようにアーム本体３４をハンドル３５に対して上下揺動可能に連結している。
【００５４】
図３に示すように第２アタッチメントＡ２は、上下に長いプラスチック成形品からなるノズル体６５を主体として構成してある。ノズル体６５は前面にノズル開口６６を有し、また下面にも開口を有する。ノズル体６５の上面内側には、下向きに開口する中空円筒状の外嵌筒６７が固定してある。この外嵌筒６７を突端軸部５７に被せるようにして差し込むことにより、第２アタッチメントＡ２を筒基体３に装着できる。外嵌筒６７の下部後側には、ロック爪５９ｂと係合可能な係合凹部６８が開口してあり、外嵌筒６７の下部前側には、第１ロック体５８を避けるための切欠６９が形成してある。ノズル体６５の下部後面には、ハンドル３５の進入を許すスリット７０が形成してある。
【００５５】
外嵌筒６７の差し込み限界は、突端軸部５７の上面で外嵌筒６７を受け止めて規定しており、外嵌筒６７が差し込み限界に至ると同時に、第２ロック体５９のロック爪５９ｂが係合凹部６８に係合する。ロック爪５９ｂと係合凹部６８との係合により、第２アタッチメントＡ２の抜け外れが規制される。また、ハンドル３５とスリット７０との係合により、筒基体３に対する第２アタッチメントＡ２の軸まわりの回転が規制される。なお、ロック爪５９ｂと係合凹部６８の係合により、抜け外れだけでなく軸まわりの回転を規制することもできる。
【００５６】
連結部２６やフランジ壁５２など、アタッチメントＡ１・Ａ２を吹出ユニット２に連結するための連結構造を、ロール体２５よりも上側に配置すると、これら連結構造により乾燥風の吹出効率が低下するのを防止できる。例えば、連結筒２３や連結リブ３２など、吹出ユニット２の下部に連結構造が設けてあり、該連結構造の一部が送給口８・３１の上方に位置していると、その分だけ風路が狭くなる。このことは、連結構造や本体ケース５などの過熱を招く。連結構造により風路が狭められるのを考慮して、送給口８・３１を大径にすることは可能であるが、連結筒２３などが大型化して、ヘアーセッターのデザイン性が低下するので好ましくない。
【００５７】
両アタッチメントＡ１・Ａ２を同時に装着すると、図８に示すようにノズル体６５が、第１アタッチメントＡ１の左方から後方を経て右方にかけての部分を外側から覆う。ノズル体６５は、前面が開口する半円壁６５ａと、半円壁６５ａの端部に連続して前方へ延びる一対の側壁６５ｂとを備える。第１アタッチメントＡ１の左右および後部の通気口５１から吹き出された風は、半円壁６５ａおよび側壁６５ｂにより前方へと変向されて、ノズル開口６６から送り出される。
【００５８】
前端のブリッスル５０の列と、その両側のブリッスル５０の列とは、ノズル開口６６よりも前方へ突出しており、これらの突出したブリッスル５０で髪を捕捉して、ノズル開口６６からの温風を送給することにより、ブロー処理やくせ付けなどの髪処理を効果的に行なえる。このように、両アタッチメントＡ１・Ａ２を装着したヘアーセッターは、あたかもブローブラシのように使用することができる。
【００５９】
なお、図１および図８は、図４に示した第１の装着形態の第１アタッチメントＡ１の外側に、第２アタッチメントＡ２を装着した状態を示したものであるが、図５に示した第１アタッチメントＡ１の第２の装着形態、つまり、第１アタッチメントＡ１の外側にアーム本体３４が位置していても、アーム本体３４に妨げられることなく第２アタッチメントＡ２を装着することができる。
【００６０】
図６は、第１アタッチメントＡ１を装着せずに第２アタッチメントＡ２をのみを装着した状態を示す。ここでのノズル体６５は、ロール体２５のイオン開口２９あるいは吹出口３０から左右および後方へ吹き出される風を、前方へ変向してノズル開口６６から送り出す。ノズル体６５とロール体２５の前端位置は略一致している。第２アタッチメントＡ２をのみを装着したヘアーセッターは、髪を迅速に乾かすのに好適である。
【００６１】
以上のように構成したヘアーセッターは、次の要領で使用する。ヘアーセッターを用いて髪を乾かす場合は、温風を一方向に集約できる第２アタッチメントＡ２を装着する。第１アタッチメントＡ１は、図１に示すように装着してあってもよく、図６に示すように装着していなくてもよい。前者の場合は、髪を乾かす間に第１アタッチメントＡ１が温められるので、髪の乾燥後、第２アタッチメントＡ２を取り外してすぐに、第１アタッチメントＡ１を用いてカール処理等を行なうことができる。後者の場合も、髪を乾かす間にロール体２５が温められるので、第２アタッチメントＡ２を取り外してすぐに、ロール体２５を用いてカール処理等を行なうことができる。つまり、髪の乾燥後にゆるめのカールを付けたい場合は、図１のように第１アタッチメントＡ１を装着しておき、逆に、ロール体２５を用いて強いカールを付けたい場合は、第１アタッチメントＡ１を外しておく。
【００６２】
ロール体２５を用いたカール処理は、図７に示すように、ロール体２５とアーム本体３４との間に髪を挟んで、ヘアーセッターの全体を回転させながら毛先側へ動かすなどの方法で、行なうことができる。第１アタッチメントＡ１を用いたカール処理は、図４に示すように、ブリッスル５０で髪を捕捉して、そこに通気口５１から温風を送給することにより、行なうことができる。もしくは図５に示すように、ブリッスル５０で髪を捕捉し、さらにアーム本体３４とロール筒４９の間に髪を挟んだ状態で、通気口５１から髪に温風を送給して、カール処理を行なうことができる。なお、各カール処理において、温風で髪をくせ付けした後に、スイッチノブ１２を冷風位置へ切り換えて、くせ付け個所を即座に冷却することにより、くせ付け形状を固定してヘアーセットを速やかに行なうことができる。
【００６３】
以上のように、本実施形態では、筒基体３に対してその外面を覆う状態で、各アタッチメントＡ１・Ａ２を着脱自在に装着できるようにした。筒基体３は、一群の吹出口３０を有するロール体２５を含み、ロール体２５は、その外周面に髪を巻き付けて、カール処理等のくせ付けに使用することができる。つまり、本実施形態における筒基体３は、従来のヘアーセッターにおける支柱筒に加えて、髪処理部としての機能を有するので、当該髪処理を行なうためのアタッチメントを省略することができる。このように、本実施形態によれば、従来のヘアーセッターに比べて髪処理のバリエーションを減らすことなく、アタッチメントの総数を減少することができる。したがって、ヘアーセッターの全体コストを削減し、あるいは無駄を省いてエコロジーや省エネルギーに寄与することができる。
【００６４】
上記実施形態では、押えアーム２４を吹出ユニット２の連結筒２３に分離不能に取り付けたが、押えアーム２４は連結筒２３に対して着脱自在に取り付けることができる。また押えアーム２４は、セッター本体１の本体ケース５などに取り付けることができる。さらに押えアーム２４は、省略することもできる。ロール体２５の外周面に、髪を捕捉し易くするための小型の突起を設けることができる。第１アタッチメントＡ１のブリッスル５０は、ロール筒４９の周方向一部のみに設けることができ、また、省略することができる。外吹出口３３は、ロール体２５の全周にわたって形成する必要はない。本体ケース５の装着部１３の内面上縁と、ロール体２５の外面下縁との間に、外吹出口３３を形成することができる。
【００６５】
フランジ壁５２の内周面および回転規制体５６の外周面は、互いに係合する鋸歯状や断面多角形状などに形成してあってもよく、要は、フランジ壁５２と回転規制体５６との係合により、筒基体３に対する第１アタッチメントＡ１の軸まわりの回転が規制されていれば、どのような形態であってもよい。フランジ壁５２は、ロール筒４９の全周にわたって形成する必要はない。回転規制体５６はロール体２５と別体にすることができる。ロック体５８・５９は独立した部品で構成することができ、その場合には板ばねやコイルばねなどでロック付勢することができる。第２アタッチメントＡ２の連結要素は外嵌筒６７である必要はなく、例えば、ノズル体６５の上面内側に下向きの突起を形成し、これに対応して突端軸部５７の突端面に凹部を形成し、この凹部に突起を差し込んで第２アタッチメントＡ２を装着することができる。
【００６６】
連結部２６の位置は筒基体３の先端側に限られない。アタッチメントＡ１・Ａ２の連結対象は筒基体３である必要はなく、例えば、吹出ユニット２の連結筒２３や連結リブ３２であってもよく、場合によっては、本体ケース５にアタッチメントＡ１・Ａ２を連結することができる。つまり、アタッチメントＡ１・Ａ２を装着したときに、該アタッチメントＡ１・Ａ２が筒基体３の外面を覆うのであれば、連結箇所は特に限定されない。第１アタッチメントＡ１に、第２アタッチメントＡ２や他のアタッチメントの連結部を設けることができる。着脱するアタッチメントは少なくとも１個あればよく、３個以上であってもよい。吹出ユニット２はセッター本体１に分離不能に固定してあってもよい。セッター本体１の放電体９は省略することができる。
【符号の説明】
【００６７】
１  セッター本体
２  吹出ユニット
３  筒基体
８  送給口
２４  押えアーム
２５  ロール体
２５ａ  進入口
２６  連結部
３０  吹出口
３３  外吹出口
３４  アーム本体
４９  ロール筒
５０  ブリッスル
５２  フランジ壁
５６  回転規制体（ギヤ体）
５７  突端軸部
５８  第１ロック体
５９  第２ロック体
６５  ノズル体
６６  ノズル開口
６７  外嵌筒
６８  係合凹部
Ａ１  第１アタッチメント
Ａ２  第２アタッチメント
Ｍ  メインユニット
【図１】
2010263994.tif 000003
【図２】
2010263994.tif 000004
【図３】
2010263994.tif 000005
【図４】
2010263994.tif 000006
【図５】
2010263994.tif 000007
【図６】
2010263994.tif 000008
【図７】
2010263994.tif 000009
【図８】
2010263994.tif 000010
【図９】
2010263994.tif 000011
【図１０】
2010263994.tif 000012
【図１１】
2010263994.tif 000013